(57)【要約】【課題】遊技釘や風車などより前方に役物を突出させることができ、且つ、役物の演出効果を向上して集客率を大幅に向上することができる遊技機を提供する。【解決手段】役物（センター役物３４）が設けられた遊技盤２０の前面を開閉する扉（裏側透明板４２、表側透明板５２）を備えた遊技機１０において、扉に設けられ、遊技盤２０との間に遊技媒体（遊技球６０）が移動する遊技領域２２を構成する透視可能な透明板部（裏側透明板４２）を備える。透明板部は、役物に対応する部分が、他の部分より前方に突出している。【選択図】図１
2008264298.tif 000002
【特許請求の範囲】
【請求項１】
役物が設けられた遊技盤の前面を開閉する扉を備えた遊技機において、
前記扉に設けられ、前記遊技盤との間に遊技媒体が移動する遊技領域を構成する透視可能な透明板部を備え、
該透明板部は、前記役物に対応する部分が、他の部分より前方に突出していることを特徴とする遊技機。
【請求項２】
前記扉は、少なくとも前記透明板部の前面を覆う透視可能な被覆板部を備えることを特徴とする請求項１に記載遊技機。
【請求項３】
前記透明板部、又は、該透明板部及び前記被覆板部は、硬質樹脂の真空成形により構成されていることを特徴とする請求項１又は請求項２に記載の遊技機。
【請求項４】
前記硬質樹脂は、ポリカーボネート樹脂、若しくは、強化アクリル樹脂、若しくは、塩化ビニル樹脂であることを特徴とする請求項３に記載の遊技機。
【発明の詳細な説明】
【技術分野】
【０００１】
本発明は、前面側に突出した役物が設けられた遊技領域と、この遊技領域を前方から透視可能な透明部材にて覆った遊技機に関するものである。
【背景技術】
【０００２】
従来よりこの種遊技機（パチンコ遊技機）は、遊技盤上に遊技球が流下しながら自由移動する遊技領域が形成され、下部には受け皿が設けられている。遊技領域の前方には、平板状の透明板（ガラス板）２枚を装着した前面扉が開閉自在に配置されている。２枚のガラス板は、磁石等による不正防止のため所定の間隔を存して前面扉に設けられたガラス枠体に支持されている。ガラス枠体はその前面の窓枠体と一体に組み付けられて前面扉を形成している。
【０００３】
該ガラス板と遊技盤との間の遊技領域には、遊技盤に取り付けられた遊技釘や風車、或いは、入賞口や、特別な仕掛けを持ったセンター役物やサイド役物などの役物が配置されている。そして、遊技者によって遊技盤と透明板との間に投入された遊技媒体が自由移動することにより遊技が行われる。そして、入賞が成立すれば所定量の遊技球（賞球）が受け皿に払い出されていた。
【０００４】
一方、遊技領域の前面全域に対応する外形で合成樹脂製の前面部が設けられたパチンコ遊技機が提案されている。該パチンコ遊技機は、遊技盤と所定の間隔を存して窓扉（扉）が設けられている。扉は、平ガラス板からなる裏側透明板と、透明の合成樹脂板からなる表側透明板とから構成されており、裏側透明板は遊技盤と所定の間隔を存して遊技領域側に設けられている（特許文献１参照）。
【０００５】
また、表側透明板は裏側透明板より更に遊技領域の離間側に設けられており、この表側透明板は、遊技者側に膨らんだドーム形状の合成樹脂製にて構成されている。この表側透明板は、図柄表示装置等の重要部分に対面する中央部を平板状にして周囲をテーパ状にするなど、パチンコ遊技機の枠体の多様なデザインと釣り合わせた様々なデザインを可能に構成していた。
【特許文献１】特開２００４−１３５７７０号公報
【発明の開示】
【発明が解決しようとする課題】
【０００６】
しかしながら、表側透明板は、図柄表示装置等の重要部分に対面する中央部を平板状にして周囲をテーパ状にするなど、パチンコ遊技機の枠体の多様なデザインと釣り合わせた様々なデザインを可能に構成しているが、裏側透明板は相変わらず平ガラス板にて構成されていた。裏側透明板を平ガラス板にて構成しているので、サイド役物より数倍も大きいセンター役物は、遊技釘や風車などより前方に出っ張らせることができない。このため、センター役物の演出効果を向上することができず、集客率の向上にも影響していた。
【０００７】
本発明は、係る従来技術の課題を解決するために成されたものであり、遊技釘や風車などより前方に役物を突出させることができ、且つ、役物の演出効果を向上して集客率を大幅に向上することができる遊技機を提供することを目的とする。
【課題を解決するための手段】
【０００８】
即ち、本発明の遊技機は、役物が設けられた遊技盤の前面を開閉する扉を備えたものであって、扉に設けられ、遊技盤との間に遊技媒体が移動する遊技領域を構成する透視可能な透明板部を備え、該透明板部は、役物に対応する部分が、他の部分より前方に突出していることを特徴とする。
【０００９】
また、請求項２の発明の遊技機は、上記において、扉は、少なくとも透明板部の前面を覆う透視可能な被覆板部を備えることを特徴とする。
【００１０】
また、請求項３の発明の遊技機は、請求項１または請求項２の記載において、透明板部、又は、該透明板部及び被覆板部は、硬質樹脂の真空成形により構成されていることを特徴とする。
【００１１】
また、請求項４の発明の遊技機は、請求項１、請求項２または請求項３に記載において、硬質樹脂は、ポリカーボネート樹脂、若しくは、強化アクリル樹脂、若しくは、塩化ビニル樹脂であることを特徴とする。
【発明の効果】
【００１２】
本発明では、役物が設けられた遊技盤の前面を開閉する扉を備えた遊技機において、扉に設けられ、遊技盤との間に遊技媒体が移動する遊技領域を構成する透視可能な透明板部を備え、透明板部は、役物に対応する部分が、他の部分より前方に突出しているので、他の部分より前方に突出した大きな役物を設置することが可能となる。これにより、役物の演出効果を極めて向上させることができて、集客率を大幅に向上することができるようになる。
【００１３】
特に、突出部分を、役物の最も高い部分よりも更に所定寸法前方に突出させておけば、それよりも低い役物を突出部分で覆うことが可能となる。これにより、様々な高さに突出した役物に、突出部分を対応させることができるので透明板部の標準化を図ることが可能となる。従って、透明板部の利便性を大幅に向上させることができるようになるものである。
【００１４】
また、請求項２の発明では、上記において、扉は、少なくとも透明板部の前面を覆う透視可能な被覆板部を備えるので、例えば、透明板部と被覆板部とを所定の隙間を設けておけば、磁石等による不正を防止することができる。これにより、複雑な突出部分を形成しても、確実に磁石等による不正を防止することが可能となる。従って、複雑な形状でも廉価な透明板部を製造することができるようになるものである。
【００１５】
また、請求項３の発明では、請求項１または請求項２において、透明板部、又は、該透明板部及び被覆板部は、硬質樹脂の真空成形により構成されているので、例えば、請求項４の如く、硬質樹脂をポリカーボネート樹脂、若しくは、強化アクリル樹脂、若しくは、塩化ビニル樹脂にて構成すれば遊技者が手や腕などで叩いた場合などでも簡単に透明板部が破損してしまうなどといった不都合を防止することができると共に、遊技媒体が透明板部に衝突した場合などでも、当該透明板部が傷付いてしまうなどといった不都合を確実に防止することができる。これにより、遊技機で遊技が行われた際、遊技盤と透明板部との間に投入された遊技媒体が移動している最中、透明板部に遊技媒体が衝突して割れてしまって、遊技者が怪我をしてしまうなどといった危険性を未然に回避することができ、安全に遊技を行うことが可能となる。従って、遊技機の利便性を大幅に向上させることができるようになるものである。
【発明を実施するための最良の形態】
【００１６】
本発明は、遊技釘や風車などより前方に役物を出っ張らせて演出効果を向上させるため、役物に対応する部分だけ透明部材を突出させることを主な目的とする。役物に対応する部分だけ透明部材を突出させるという目的を、透明部材を透明合成樹脂製の素材で構成して役物に対応する部分を真空成形にて突出させるだけで実現した。
【００１７】
以下、本発明の実施の形態を図面に基づいて説明する。図１は本発明の一実施例を示す遊技機１０の縦断側面図（概略図）、図２は本発明の遊技機１０を構成する遊技盤２０の斜視図、図３は本発明の遊技機１０を構成する遊技盤２０取り付け用機枠１２の斜視図をそれぞれ示している。
【００１８】
本実施形態における遊技機１０は、図１に示すように、前面側（遊技者側）に配設され扉４１と、その内側に設けられた遊技盤２０との間に形成される遊技領域２２内に発射された遊技媒体としての遊技球６０（図３に図示）により、遊技者が遊技を行う装置である。該扉４１は、裏側透明板４２（本発明の透明板部に相当）と、表側透明板５２（本発明の被覆板部に相当）とから構成されると共に、遊技盤２０の前面側には、遊技球６０の進行方向を無作為に変化させるための遊技釘２４が設けられている。尚、図２では遊技釘２４を図示していない。
【００１９】
また、遊技盤２０の前面側には、図２に示すように、遊技球６０が流下する速度や方向を制御する風車２６や、遊技球６０が上部方向から流入可能な複数の入賞口２８が設けられている。更に、特定の入賞口２８へ遊技球６０が入賞したことに基づいて特別遊技が行われるセンター役物３４（本発明の役物に相当）が設けられると共に、何れの入賞口２８へも入賞しなかった遊技球６０を遊技領域２２の下端で回収する、はずれ穴４０などが設けられている。また、はずれ穴４０の上部には、大当たりを引き出すことが可能な所謂チャッカーが設けられている。
【００２０】
そして、遊技釘２４や風車２６、複数の入賞口２８やセンター役物３４及びはずれ穴４０などを囲む形で渦巻き状に形成されたレール３０が設けられている。このレール３０は、後述するハンドル１６が操作されて発射された遊技球６０を、当該レール３０に沿って遊技領域２２の上部に導くものである。尚、裏側透明板４２については後で説明する。
【００２１】
即ち、遊技領域２２は、遊技盤２０と裏側透明板４２間と間でレール３０の内側に形成されている。該遊技領域２２の略中央には、例えば遊技領域２２の平面面積の約１／４〜１／５位の比較的大きなセンター役物３４が設けられている。該センター役物３４は、遊技領域２２の前面側に所定寸法突出して設けられると共に、大半は遊技盤２０の後面側にはみ出した状態で設けられている。
【００２２】
該センター役物３４は、作るときのデザインにより、突出部分は複雑な形に形成されている。即ち、センター役物３４は、上部にキャラクタや他の演出物が突出する飾り物３５が設けられおり、この飾り物３５の下部には入賞や大当たり時の演出効果を高めたり、或いは、ＣＭなどの表示を行う液晶表示装置３２が設けられている。該液晶表示装置３２は、遊技盤２０の後面側に所定の間隔を存して設けられており、裏側透明板４２と表側透明板５２とを透過して遊技者が視認できるように構成されている。この液晶表示装置３２は、遊技盤２０全体に対応する後面側、遊技領域２２全体に対応する後面側、或いは、センター役物３４の後面側、或いは、任意の範囲の後部に設けられている。尚、本実施例では略遊技領域２２全体に対応する大きさの液晶表示装置３２が設けられている。
【００２３】
センター役物３４には、遊技盤２０より前方に立設する形で側壁３６が設けられている。この側壁３６は、センター役物３４の略上半分（遊技領域２２の上部側）を囲む形で、当該センター役物３４の周縁部に設けられている。詳しくは、側壁３６は、センター役物３４の約上側半分に設けられ、その下側には側壁３６は設けられていない。尚、センター役物３４に対して、センター役物３４より小さなサイド役物（センター役物３４の両サイドまたは両サイドの上下などに設けられる）もあるが、サイド役物は図示していない。また、図１の６２は、センター役物３４を動作させるための駆動装置である。
【００２４】
前記遊技盤２０の裏側には、各入賞口２８に遊技球６０が入賞したことを検出する図示しない入賞センサーや、入賞口２８に流入した遊技球６０を下部の回収樋まで導く集合樋などが設けられている。そして、該遊技盤２０は図３に示す機枠１２に嵌め込まれて固定される。遊技盤２０の下方には、貸球や賞球（遊技球６０）が払い出される上受け皿１４が設けられている。
【００２５】
上受け皿１４の下方には、図示しないが賞球（遊技球６０）で一杯になったときに上受け皿１４の払出し口から遊技球６０が排出され、その遊技球６０を収容する下受け皿が設けられている。また、上受け皿１４の一側（図中右側）に遊技球６０の発射を行うためのハンドル１６、及び、遊技球６０の発射強度の調整を行う操作レバー（図示せず）などが設けられている。
【００２６】
一方、前記裏側透明板４２は、遊技盤２０の前面側に設けられており、この裏側透明板４２は遊技盤２０の全面に対応して設けられている。この裏側透明板４２は、遊技領域２２を透視可能に構成すると共に、センター役物３４に対応する部分を真空成形により、他の部分（平面部４３）よりも所定寸法前方に出っ張らせた突出部４４が設けられている。該突出部４４は、図１、図４に示すようにセンター役物３４を覆う形で遊技盤２０の離間側に突出している。
【００２７】
即ち、突出部４４は、裏側透明板４２を所定寸法前面側に突出して形成すると共に、複雑な形状のセンター役物３４に合う形状に形成されている。詳しくは、突出部４４は、センター役物３４に対応する曲面部４４と、液晶表示装置３２に対応する平坦部４４Ｂとから構成されている。平坦部４４Ｂは、遊技盤２０より前面側に突出して曲面部４４Ａと平面部４３との間に位置している。
【００２８】
該曲面部４４Ａは、センター役物３４の飾り物３５部分を、当該飾り物３５部分に対応した形状に形成され、平坦部４４Ｂは液晶表示装置３２と平行な平面に形成されている。この平坦部４４Ｂは、液晶表示装置３２と平行（平面）に形成することにより、遊技者が液晶表示装置３２を視認した際、歪んで見えてしまうのを防止している。
【００２９】
また、突出部４４の周囲はセンター役物３４の上半分に立設する側壁３６と所定の間隔を存して設けられている。詳しくは、突出部４４と側壁３６との間隔は、遊技球６０がセンター役物３４の飾り物３５部分と液晶表示装置３２に上側及び側面から入らない隙間に構成されている。即ち、突出部４４と側壁３６との間隔は、遊技球６０の直径の約１／２〜１／４の範囲に形成されている。これにより、遊技球６０が側壁３６の上端部を超えて、センター役物３４内に入ってしまうなどの不都合を防止している。尚、側壁３６を設けていない部分からは、センター役物３４内に遊技球６０が入ることを許可している。
【００３０】
該裏側透明板４２は、遊技盤２０より少し大きめで簡単に破損することのない強度を有する透明な透明合成樹脂にて構成されている。この裏側透明板４２は、熱を加えると軟らかくなり、冷やすと硬化して硬くなる熱可塑性樹脂にて構成されている。即ち、裏側透明板４２は、ポリカーボネート樹脂、若しくは、強化アクリル樹脂、若しくは、塩化ビニル樹脂などの合成樹脂シート（カットシート）が用いられる。尚、合成樹脂シートは、裏側透明板４２を単一取り、或いは、複数取りの大きさのものを用いても差し支えない。
【００３１】
そして、裏側透明板４２は、合成樹脂シートの両端をチェーンで挟み、予め突出部４４の形より所定寸法大きく彫り込まれた真空成形型の手前から、真空成形型方向に移動させる。そして、合成樹脂シートは、真空成形型の手前で、予め設けられた上下ヒーターで所定時間加熱される。この加熱によって軟化した合成樹脂シートは、チェーンで移動して真空成形型の上に裁置され、上から金枠で周囲が真空成形型に圧接されることにより、周囲が密閉される。次に、真空成形型に設けられた多数の真空孔から、予め設けられた真空吸引装置にて空気が真空吸引される。これによって、軟化した合成樹脂シートは大気圧で真空成形型に押し付けられて真空成形される。このとき同時に、裏側透明板４２には遊技盤２０の前面に当接、或いは、近接する周囲壁４２Ａ、或いは、他の必要成形部分も真空成形される。
【００３２】
成形された合成樹脂シートは、冷却（水冷或いは空冷）されることにより硬化し、その後、真空成形型から離脱される。そして、硬化して真空成形型から離脱された合成樹脂シートは、更にチェーンで移動し、抜き型上に裁置される。そして、プレスによって周囲が切断されると共に、必要部分が穴抜きされてセンター役物３４を覆う形の突出部４４が形成された裏側透明板４２が出来上がる。
【００３３】
このとき、同時に遊技盤２０に固定するための固定穴４２Ｂもプレスによって開けられる。また、裏側透明板４２を開閉するための蝶番４６用の固定穴（図示せず）や、他に必要な穴などプレスによって開けられる。これにより、射出成形にて突出部４４を成形する場合に対して、センター役物３４に対応する部分を前方に突出させた突出部４４や、周囲壁４２Ａなどを設けた複雑形状の裏側透明板４２を廉価に作ることができる。
【００３４】
裏側透明板４２の前面側には、図５に示すように裏側透明板４２と同様の素材にて同様に真空成形された表側透明板５２が設けられると共に、この表側透明板５２にて裏側透明板４２が覆われている。即ち、遊技領域２２の前面側は、磁石等による不正防止のため、裏側透明板４２と所定の間隔を存して表側透明板５２が設けられている。この表側透明板５２は、前方（遊技者側）に膨らんだドーム形状に形成されている。
【００３５】
該表側透明板５２は、中央部を平板状にして周囲を、遊技盤２０方向に湾曲させている。この表側透明板５２は、遊技者が手や腕などで裏側透明板４２を叩いた場合でも割れず、表側透明板５２と裏側透明板４２の突出部４４とが接触しない高さ寸法（遊技盤２０側からの高さ）に構成されている。
【００３６】
また、真空成形にて表側透明板５２を所定の形状に成形しているので、遊技領域２２以外の下部両端を前方に突出させるなどのデサインが可能になる。また、裏側透明板４２及び表側透明板５２は、遊技領域２２以外の部分を多様なデザインと釣り合わせた様々なデザインとすることが可能になる。
【００３７】
また、表側透明板５２には、木枠５４（図１に図示）が設けられており、この木枠５４に開閉アーム５８が回動自在に取り付けられる。この開閉アーム５８は折り畳み式に構成され、先端には裏側透明板４２を支持するためのローラー５８Ａが設けられている。尚、図５では木枠５４を図示していない。
【００３８】
そして、図６に示すように、完成した裏側透明板４２の一側（図中左側）には蝶番４６が固定され、遊技盤２０の一側に回動自在にボルトや釘などの固定具にて固定される。そして、裏側透明板４２が遊技盤２０の一側に取り付けられた状態（図１）で、裏側透明板４２の突出部４４は、センター役物３４を覆う。このとき、裏側透明板４２を突出させた突出部４４以外の平面部４３（遊技領域２２内）は、遊技盤２０と略平行に形成された平面で、遊技領域２２の前面側を覆っている。
【００３９】
該裏側透明板４２は、平面部４３と遊技盤２０との寸法（図中Ｄ１の寸法）を約２０ｍｍに規定すると共に、突出部４４の遊技者側の寸法（図中Ｄ２の寸法）を３０〜６０ｍｍに形成している。即ち、Ｄ１の寸法＜Ｄ２の寸法に形成している。また、裏側透明板４２は、遊技領域２２に打ち出された遊技球６０が下流しながら自由移動している最中、当該遊技球６０が遊技領域２２から遊技盤２０の離間側へ飛び出ししまうのを防止する。尚、図中Ｄ２の寸法を３０〜６０ｍｍに記載したが、図中Ｄ２の寸法はＤ１の寸法より大きければこの寸法に限られるものでない。
【００４０】
また、完成した表側透明板５２の一側（図中左側）にも蝶番５６が固定され、遊技盤２０の一側に回動自在にボルトや釘などの固定具で取り付けられる。このとき、開閉アーム５８は折り畳まれた状態で先端に設けられたローラー５８Ａにて裏側透明板４２を支持している。
【００４１】
そして、図中矢印に示すように、表側透明板５２が開いた際（時計方向に開く）、折り畳まれた開閉アーム５８によって表側透明板５２と共に裏側透明板４２を略直角に開く。表側透明板５２と裏側透明板４２は、それぞれ独立して開閉可能に構成されているため開閉支点位置が異なる。その開閉支点位置の違いから、表側透明板５２と裏側透明板４２との開閉角度が異なるため、図中点線で示すように裏側透明板４２が所定角度（約１２５度）開き、それ以上の開きは表側透明板５２の蝶番５６側が当接して阻止される。
【００４２】
そして、表側透明板５２は更に開くが、回動自在の開閉アーム５８によって裏側透明板４２を支持しているので、折り畳まれた開閉アーム５８が開いて当該表側透明板５２は所定角度（約１４５度）まで開いた時点で停止する。係る開閉アーム５８を設けているので、裏側透明板４２と表側透明板５２とをそれぞれ別々に開閉することなく同時に開閉することができる。これにより、裏側透明板４２と表側透明板５２との開閉作業性を大幅に向上することができる。
【００４３】
また、表側透明板５２と裏側透明板４２が閉じられたとき、当該表側透明板５２と裏側透明板４２は、図示しない鍵で遊技盤２０に固定される。これにより、遊技者により表側透明板５２と裏側透明板４２が開かれて不正行為が行われるのを防止している。
【００４４】
このように、裏側透明板４２は、センター役物３４に対応する部分が、他の平面部４３より前方に突出しているので、平面部４３より前方に突出させた大きなセンター役物３４を設置することが可能となる。これにより、センター役物３４を従来のセンター役物よりも大きくすることができるので、当該センター役物３４の演出効果を極めて向上させることができ、裏側透明板４２の商品価値を大幅に向上させることが可能になる。
【００４５】
また、突出部４４とセンター役物３４（側壁３６）とを遊技球６０が通過しない隙間に構成しているので、上方から流下する遊技球６０がセンター役物３４（側壁３６）の上を乗り越えてセンター役物３４内に入ってしまうなどといった不都合を確実に防止することができる。
【００４６】
特に、突出部４４を、センター役物３４の最も高い部分よりも更に所定寸法前方に突出させておけば、それよりも低いセンター役物３４を突出部４４で覆うことが可能となる。これにより、様々な高さに突出したセンター役物３４に、突出部４４を対応させることができるので裏側透明板４２の標準化を図ることが可能となる。従って、裏側透明板４２の利便性を大幅に向上させることができるようになる。
【００４７】
また、裏側透明板４２は真空成形により、遊技盤２０の離間側に突出させているので、例えば、合成樹脂の射出成形品に対して突出部４４を簡単、且つ、短時間に突出させることができる。これにより、突出部４４を設けた裏側透明板４２のコストを大幅に低減させることが可能となる。
【００４８】
また、裏側透明板４２の素材を所定の強度を有する透明合成樹脂（ポリカーボネート樹脂、若しくは、強化アクリル樹脂、若しくは、塩化ビニル樹脂）にて構成しているので、遊技者が手や腕などで叩いた場合でも簡単に裏側透明板４２が破損してしまうなどといった不都合を防止することができる。また、遊技球６０が裏側透明板４２に衝突した場合でも、裏側透明板４２が傷付いてしまうなどといった不都合を確実に防止することができる。
【００４９】
これにより、遊技機１０にて遊技が行われた際、遊技盤２０と裏側透明板４２との間に投入された遊技球６０が自由移動している最中、裏側透明板４２に遊技球６０が衝突して割れてしまって、遊技者が怪我をしてしまうなどといった危険性を未然に回避することができ、安全に遊技を行うことが可能となる。
【００５０】
尚、実施例では、裏側透明板４２のセンター役物３４部分を突出させた突出部４４を設けたが、サイド役物部分や、遊技領域２２以外の部分を突出させても差し支えない。この場合、サイド役物部分や遊技領域２２部分を立体的に構成することができる。これにより、更に遊技機１０の商品価値を向上させることが可能となる。
【００５１】
また、裏側透明板４２に設けた突出部４４を、センター役物３４の最も高い（遊技盤２０からの距離）部分よりも更に所定寸法高くしておけば、それよりも低いセンター役物３４に対応させることができる。これにより、裏側透明板４２の標準化を図ることが可能となり、裏側透明板４２の利便性を更に向上させることができる。
【００５２】
尚、実施例では裏側透明板４２や表側透明板５２の形状や寸法或いは角度などを記載したが、裏側透明板４２や表側透明板５２は、遊技機１０の要旨を逸脱しない範囲内で形状や寸法を変更しても良いのは言うまでもない。勿論本発明は、上記各実施例のみに限定されるものではなく、この発明の趣旨を逸脱しない範囲で他の様々な変更を行っても本発明は有効である。
【図面の簡単な説明】
【００５３】
【図１】本発明の一実施例を示す遊技機の縦断側面図（概略図）である。
【図２】本発明の遊技機を構成する遊技盤の斜視図である。
【図３】本発明の遊技機を構成する遊技盤取り付け用機枠の斜視図である。
【図４】本発明の遊技機を構成する裏側透明板の斜視図である。
【図５】本発明の遊技機を構成する表側透明板の斜視図である。
【図６】裏側透明板と表側透明板の開閉状態を示す遊技機の平面図である。
【符号の説明】
【００５４】
１０  遊技機
１２  機枠
２０  遊技盤
２２  遊技領域
２８  入賞口
３２  液晶表示装置
３４  センター役物
３５  飾り物
３６  側壁
４１  扉
４２  裏側透明板
４２Ａ  周囲壁
４２Ｂ  固定穴
４３  平面部
４４  突出部
４４Ａ  曲面部
４４Ｂ  平坦部
５２  表側透明板
【図１】
2008264298.tif 000003
【図２】
2008264298.tif 000004
【図３】
2008264298.tif 000005
【図４】
2008264298.tif 000006
【図５】
2008264298.tif 000007
【図６】
2008264298.tif 000008